(57)【要約】      （修正有）【課題】農作業などの屋外作業時や、釣りその他の屋外でのレジャー時において、顔面、後頭部、背中その他様々な方向からの日射を遮ることが可能な日除けを提供する。【解決手段】日除け５０は、頭部を嵌入可能な孔部１１を有する縦長略方形の中板１０と、当該中板を被覆する外布２０と、中板の孔部近傍に設けられた紐部材３０とにより構成した。外布を遮光性のアルミ蒸着シートで形成し、中板に折れ目を設け、中板に通気穴１３を複数設けた。着用時に上方に伸張する当て布を、中板の孔部を覆う形状に設け、当て布を中板に対して着脱自在に設けた。紐部材を中板に取り付けるための貫通孔１４に切れ込みを設け、外布の端部に布体を着脱自在に設け構成した。【選択図】図１
0003175523.tif 000002
【実用新案登録請求の範囲】
【請求項１】
頭部を嵌入可能な孔部（１１）を有する縦長略方形の中板（１０）と、
当該中板（１０）を被覆する外布（２０）と、
中板（１０）の孔部（１１）近傍に設けられた紐部材（３０）と、
により成る日除け。
【請求項２】
外布（２０）を遮光性のアルミ蒸着シートで形成した請求項１に記載の日除け。
【請求項３】
中板（１０）に折れ目（１２）を設けることで折畳み可能にした請求項１又は２に記載の日除け。
【請求項４】
中板（１０）に通気穴（１３）を複数設けた請求項１乃至３いずれかに記載の日除け。
【請求項５】
着用時に上方に伸張する当て布（４０）を、中板（１０）の孔部（１１）を覆う形状に設けた請求項１乃至４いずれかに記載の日除け。
【請求項６】
当て布（４０）を中板（１０）に対して着脱自在に設けた請求項５に記載の日除け。
【請求項７】
紐部材（３０）を中板（１０）へ取付けるための貫通孔（１４）に切れ込み（１４ａ）を設けた請求項１乃至６いずれかに記載の日除け。
【請求項８】
外布（２０）の端部に布体（２１）を着脱自在に設けた請求項１乃至７いずれかに記載の日除け。
【考案の詳細な説明】
【技術分野】
【０００１】
本考案は、農作業などの屋外作業時や釣りの時などにおいて、頭部や背中を日射から保護するための日除けに関する。
【背景技術】
【０００２】
特開２０１０−１７４４０２号公報には、頭部を覆う頭部被覆部と、該頭部被覆部の下方側に取り付けられ着用者の顔面、首後方面及び側面を覆い得る首被覆部とを備える頭部被覆体が開示されている。
【０００３】
特開２００６−９７２０９号公報には、可撓性材料よりなる日除けが帽子本体から垂れ下がるように取り付けられている日除け付き帽子が開示されている。
【０００４】
実用新案登録第３１４８７３０号公報には、後頭部と背中への日射を遮蔽するための日除け本体と、背中に当てるための背中当てとを有する日除けが開示されている。
【０００５】
実用新案登録第３１３７３２２号公報にはアルミ箔を挿入した積層紙を帽子の上に取り付けた日除けが開示されている。
【先行技術文献】
【特許文献】
【０００６】
【特許文献１】特開２０１０−１７４４０２号公報
【特許文献２】特開２００６−９７２０９号公報
【特許文献３】実用新案登録第３１４８７３０号公報
【特許文献４】実用新案登録第３１３７３２２号公報
【考案の概要】
【考案が解決しようとする課題】
【０００７】
本考案の課題は農作業などの屋外作業時や、釣りその他の屋外でのレジャー時において、顔面、後頭部、背中その他様々な方向からの日射を遮ることが可能な日除けを提供することにある。
【０００８】
更にはコンパクトに折りたたむことが可能であり、頭が蒸れることもなく、汚れた部位を簡単に洗濯可能であり、また、着用時に風にあおられても転倒する恐れのない日よけを提供することを目的とする。
【課題を解決するための手段】
【０００９】
上記の目的を達成する本発明の構成は次の通りである。
【００１０】
（１）  請求項１に記載の日除けは、頭部を嵌入可能な孔部を有する縦長略方形の中板と、当該中板を被覆する外布と、中板の孔部近傍に設けられた紐部材とにより構成した。
【００１１】
（２）  請求項２に記載の日除けは、外布を遮光性のアルミ蒸着シートで形成した。
【００１２】
（３）  請求項３に記載の日除けは、請求項１又は２記載の考案において、中板に折れ目を設け構成した。
【００１３】
（４）  請求項４に記載の日除けは、請求項１乃至３いずれかに記載の考案において、中板に通気穴を複数設けて構成した。
【００１４】
（５）  請求項５に記載の日除けは、請求項１乃至４いずれかに記載の考案において、着用時に上方に伸張する当て布を、中板の孔部を覆う形状に設け構成した。
【００１５】
（６）  請求項６に記載の日除けは、請求項５記載の考案において、当て布を中板に対して着脱自在に設け構成した。
【００１６】
（７）  請求項７に記載の日除けは、請求項１乃至６いずれかに記載の考案において、紐部材を中板に取り付けるための貫通孔に切れ込みを設け構成した。
【００１７】
（８）  請求項８に記載の日除けは、請求項１乃至７いずれかに記載の考案において、外布の端部に布体を着脱自在に設け構成した。
【考案の効果】
【００１８】
本考案に係る日除けは図１２に示すように孔部１１に着用者の頭を嵌入すると共に顎の下で紐部材３０を結ぶことで着用するものである。
【００１９】
そして、縦長形状を有することから、顔面のみならず後頭部や背中に降り注ぐ日光を遮ることが可能となるのである。しかも、頭部を中心に回転させることで図１３に示すように本考案に係る日除け５０を様々な方向に位置せしめることが可能であり、つまりは様々な方向からの日射を遮ることが可能となるのである。
【００２０】
請求項２記載の日除けは、外布２０を遮光性のアルミ蒸着シートで形成してあることから、断熱性にすぐれ、着用者にとって防熱効果が高まるものである。
【００２１】
請求項３記載の考案は、中板１０に折れ目１２が設けてあることから、折りたたみ可能なものであり、持ち運びに便利のものとなる。また、図６に示すように着用時に折りたたみ、面状ファスナ等で固定すれば長さを短くすることが可能となる。かように丈を短くすることが可能となることから、例えば果実の収穫時などに、背負籠に収穫した果実を入れる際の邪魔にならないといった効果も奏するものである。また、着用者がリュックを背負うときなどにも邪魔にならないものである。
【００２２】
請求項４記載の考案は、図１に示すように中板１０に通気穴１３が設けてあることから、外布２０と中板１０の間隙の通気が可能となり、遮熱効果が高まるものである。
【００２３】
請求項５記載の考案は、中板１０の孔部１１に当て布４０が設けてある。これにより、図８に示すように着用者の頭部を当て布４０が覆うことになり、つまりは日光で熱せられる外布２０と頭部の間に当て布４０が存することになり、着用者の頭に伝わる熱を減少せしめることが可能となるのである。
【００２４】
請求項６記載の考案では当て布４０が着脱自在に設けてある。当て布４０は頭部に直接接するため、頭部の脂等で汚れがちになる。係る当て布４０を着脱自在とすることで当て布４０を容易に洗濯することが可能となり、衛生面が向上するものである。
【００２５】
請求項７記載の考案は図１４に示すように、紐部材３０の中板１０への取付部位たる貫通孔１４に切れ込み１４ａが設けてある。かように構成されていることから、着用時に風に煽られ中板１０が不意の方向に飛ばされようとする際に、紐部材３０が中板１０から抜け、中板１０・外布２０という日除け本体だけが飛ばされることになる。つまりは、風に煽られた際に日除けが不意の方向に飛ばされることに伴い、着用者が転倒するといった不慮の事故を可及的に防止することが可能となるのである。
【００２６】
請求項８記載の考案は、図１０、図１１に示すように外布２０の端部に布体２１を着脱自在に設けて構成してある。これにより、日光を遮る部材を伸長することが可能となり、広範な部位に対する日除け効果を生むことが可能となるのである。
【図面の簡単な説明】
【００２７】
【図１】本考案の正面図
【図２】同背面図
【図３】折れ目を設けた中板の正面図
【図４】折れ目を設けた中板の正面図
【図５】折れ目を設けた中板の正面図
【図６】折畳んで着用した状態を示す説明図
【図７】請求項５記載の考案の正面図
【図８】着用時の当て布の状態の説明図
【図９】当て布の他の実施形態を示す説明図
【図１０】布体をつけた状態の背面図
【図１１】布体をつけた使用状態を示す説明図
【図１２】使用状態を示す説明図
【図１３】日除けを回転させた状態を示す説明図
【図１４】孔部近傍の拡大図
【考案を実施するための形態】
【００２８】
以下、添付図面に基づき本考案を実施するための最良の形態について説明するが、本考案は以下の形態にのみ限定されるべきものでないことはいうまでもない。
【００２９】
図１は本考案の正面図であり、図２は同背面図である。本考案に係る日除け５０は、中板１０を覆う形で外布２０が被せてあり、中板１０には着用者の頭部を嵌入するため孔部１１が設けてある。孔部１１の近傍には２本の紐部材３０が取り付けてある。外布２０は中板１０の背面側、すなわち着用時に日光が当たる側全面を覆う形状で取り付ければ足り、正面側は中板１０の縁部に係止する程度でよい。
【００３０】
中板１０の素材としてはポリプロピレンあるいはポリカーボネート製の段ボールシート、いわゆるプラダンを使用することが好適であるが、薄板や厚紙なども使用可能である。
【００３１】
外布２０は布帛で形成してもよいし、あるいは請求項２記載の考案のようにアルミ蒸着ＰＥＴやアルミ箔に各種のクロスやフィルムを組合せたアルミ蒸着シートを使用してもよい。
【００３２】
紐部材３０は繊維製、樹脂製、紙製等の紐を使用すれば足りる。
【００３３】
請求項３記載の考案においては、図３、図４に示すように中板１０に折れ目１２が設けてある。折れ目１２において折り畳むことで、図３記載の日除け４０は６分の１に大きさに折り畳むことが可能となり、図４記載の日除け５０は９分の１に折り畳むことが可能となる。ポリプロピレンはヒンジ特性を有するため、折れ目を設けても強度が落ちることは無く、繰り返しの使用に耐えうるものである。
【００３４】
請求項４記載の考案においては、中板１０に通気穴１３が複数設けられている。通気穴１３の大きさ・個数は換気可能な大きさ・個数であれば任意でよい。
【００３５】
中板１０には紐部材３０が取り付けてある。取り付け方法は中板１０に設けた貫通孔１４に紐部材３０を通し、該紐部材３０の端部に設けた結び目（不図示）を、貫通孔１４の背面側で係止してある。あるいは結び目に代え、被係止部材を紐部材３０の端部に設けてもよい。
【００３６】
請求項７記載の考案においては、図１に示すように貫通孔１４に切れ込み１４ａが設けてある。これにより貫通孔１４が容易に広がり、詰まりは紐部材の端部に設けた結び目等の被係止部が、貫通孔１４から抜けることが可能となる。すなわち、紐部材３０が簡易に中板１０から外れるものである。
【００３７】
請求項５記載の考案においては、図７に示すように中板１０に設けた孔部１１を覆う形状で、当て布４０が設けてある。当て布４０は布帛で形成すればたり、好ましくは汗を吸収しやすい素材が好適である。
【００３８】
この当て布４０は着用時に上方に延びる形状、図７でいえば背面側に延びる形状に設けてある。具体的には当て布４０を、予め撓みを持たせて取り付けておいてもよいし、伸縮性を有する素材を使用してもよいし、あるいは図９に示すように略渦巻状の切れ込み４１を設けて、着用者の頭が上方に抵抗なく入り込むようにしてもよい。
【００３９】
請求項６記載の考案においては、当て布４０を中板１０に対して着脱自在に設けてある。着脱自在にする手段としては中板１０とあて布４０に面状ファスナを取り付ける、ボタンとボタン穴を設ける、ホックを取り付けるといった方法が採用できる。
【００４０】
請求項８記載の考案は図１０、図１１に示すように外布２０の端部に布体２１を着脱自在に設けてある。着脱自在にする手段は外布２０と布対２１に面状ファスナを取り付ける、ボタンとボタン穴を設ける、ホックを取り付けるといった方法が採用できる。
【符号の説明】
【００４１】
１０・・中板
１１・・孔部
１２・・折れ目
１３・・通気穴
１４・・貫通孔
１４ａ・・切れ込み
２０・・外布
２１・・布体
３０・・紐部材
４０・・当て布
４１・・切れ込み
５０・・日除け
【図１】
0003175523.tif 000003
【図２】
0003175523.tif 000004
【図３】
0003175523.tif 000005
【図４】
0003175523.tif 000006
【図５】
0003175523.tif 000007
【図６】
0003175523.tif 000008
【図７】
0003175523.tif 000009
【図８】
0003175523.tif 000010
【図９】
0003175523.tif 000011
【図１０】
0003175523.tif 000012
【図１１】
0003175523.tif 000013
【図１２】
0003175523.tif 000014
【図１３】
0003175523.tif 000015
【図１４】
0003175523.tif 000016